(57)【特許請求の範囲】
【請求項１】
複数枚のフレームの連続として構成される対象画像を表す画像信号に基づき、前記複数枚のフレームを順次再生することにより、前記対象画像を静止画または完全なもしくは部分的な動画として表示するために電池によって駆動される画像表示装置であって、
前記複数枚のフレームのうちの少なくとも一部を固定または可変の転送レートで転送する転送部と、
その転送部から転送された複数枚のフレームを、固定のフレームレートまたは前記転送レートに応じて変化する可変のフレームレートで再生することによって前記対象画像を表示する表示部と、
前記電池の残量が基準残量以下である場合に、当該画像表示装置による消費電力が減少するように、その消費電力を制御する消費電力制御部と
を含み、
その消費電力制御部は、前記画像信号または前記対象画像の属性を表す画像属性信号もしくは画像属性データに基づき、前記対象画像を、動画と静止画とを含む複数の画像種類のうちのいずれかに分類し、
前記動画は、前記画面上においてある対象物が動く領域である動き領域内を動くある対象物の種類、その動き領域の大きさであって前記画面全体の面積に対する比率を意味するものおよびその動き領域の発生頻度という３つの観点から、静止画を背景とする画面上においてカーソルがユーザの操作に応じて、非常に小さい領域内において散発的に動く第１の動画、または作表ソフトを用いて画面上において表を作成する際に、作成中の表の枠が、小さい領域内において散発的に動く第２の動画と、画面の一部に表示された枠内においてある対象物が、中程度の大きさの領域内において連続的に動く第３の動画、または表示画像が画面全体において連続的に動く第４の動画とに分類され、
前記消費電力制御部は、
（ａ）前記対象画像が、前記静止画に分類される場合には、前記転送レートを通常レートに維持しつつ、前記複数枚のフレームのうち、前フレームとは異なるもののみが前記表示部に転送されるように、前記転送部を制御し、それにより、前記複数枚のフレームのうち前記転送部によって転送されるものの枚数であるフレーム転送枚数を減少させ、
（ｂ）前記対象画像が、前記第１の動画または前記第２の動画に分類される場合には、前記転送レートを、前記通常レートより低い第１レートに低下させるか、または、前記転送レートを前記通常レートに維持しつつ、前記対象画像が表示される際の輝度値を低下させ、
（ｃ）前記対象画像が、前記第３の動画または前記第４の動画に分類される場合には、前記転送レートを、前記第１レートより低い第２レートに低下させる転送制御部を含む画像表示装置。
【請求項２】
さらに、
前記画像信号のうち、画像を表示しない無効表示期間中に、前記電池の残量を判定する残量判定部を含む請求項１に記載の画像表示装置。
【請求項３】
前記転送制御部は、前記対象画像のフレーム間の時間的相関に基づき、前記対象画像を、前記複数の画像種類のうちのいずれかに分類する第１分類手段を含む請求項１または２に記載の画像表示装置。
【請求項４】
前記転送制御部は、
前記画像信号のフレーム周波数より低くなるように予め定められたカットオフ周波数を有し、前記画像信号が入力されると、その画像信号のうち、前記フレーム周波数以上の周波数を有する成分を所定量以上減衰させる特性を有するローパスフィルタと、
そのローパスフィルタに入力された前記画像信号に対して前記ローパスフィルタから出力される信号の振幅の大きさに基づき、前記対象画像を、前記複数の画像種類のうちのいずれかに分類する第２分類手段と
を含む請求項１または２に記載の画像表示装置。
【請求項５】
当該画像表示装置は、前記画像信号を表す画像データをファイルとして、かつ、ファイル名およびファイル種類識別子に関連付けて保存し、
前記転送制御部は、前記ファイル種類識別子であって前記対象画像の種類に関連するものに基づき、前記対象画像を、前記複数の画像種類のうちのいずれかに分類する第３分類手段を含む請求項１または２に記載の画像表示装置。
【請求項６】
当該画像表示装置は、前記対象画像の種類に応じて種類が選択されるアプリケーション・プログラムを起動させることにより、前記対象画像を表示し、
前記転送制御部は、前記起動されたアプリケーション・プログラムの種類に基づき、前記対象画像を、前記複数の画像種類のうちのいずれかに分類する第４分類手段を含む請求項１または２に記載の画像表示装置。
【請求項７】
前記消費電力制御部は、さらに、前記対象画像が動画に分類される場合に、前記フレーム転送枚数を減少させることも前記転送レートを低下させることもなく、前記対象画像が表示される際の輝度値を低下させる輝度値制御部を含む請求項１ないし６のいずれかに記載の画像表示装置。
【請求項８】
前記転送制御部は、前記電池の残量が少ないほど、前記フレーム転送枚数が減少するかまたは前記転送レートが低下するように、前記転送部を制御する請求項１ないし７のいずれかに記載の画像表示装置。
【請求項９】
前記転送制御部は、
（ａ）前記転送レートを低下させるか、
（ｂ）前記転送レートを低下させることなく、前記複数枚のフレームのうちの少なくとも一部の転送が一時的に停止するように、前記転送部を制御することにより、前記フレーム転送枚数を減少させるか、または、
（ｃ）前記複数枚のフレームの連続において、現フレームが前フレームと一致しない場合には現フレームが転送されるが、現フレームが前フレームと一致する場合には現フレームが転送されないように、前記転送部を制御することにより、前記フレーム転送枚数を減少させる請求項１ないし８のいずれかに記載の画像表示装置。
【請求項１０】
前記表示部は、前記対象画像を観察するユーザの頭部に装着され、前記対象画像を形成する光を前記ユーザの眼に投影し、それにより、前記対象画像を表示する請求項１ないし９のいずれかに記載の画像表示装置。
【請求項１１】
さらに、
前記転送部に、有線または無線で通信可能に接続された受信部であって、前記転送部から転送されたフレームを受信し、その受信したフレームを前記表示部に出力するものを含む請求項１ないし１０のいずれかに記載の画像表示装置。
【発明の詳細な説明】
【技術分野】
【０００１】
本発明は、画像光によって画像を表示するために電池によって駆動される画像表示装置に関し、特に、その画像表示装置による消費電力を減少させる技術に関する。
【背景技術】
【０００２】
特許文献１は、画像光によって画像を表示するために電池によって駆動される画像表示装置の一従来例を開示している。この従来例は、複数枚のフレームの連続として構成される対象画像を表す画像信号に基づき、前記複数枚のフレームを順次再生することにより、前記対象画像を静止画または完全なもしくは部分的な動画として表示するように構成される。
【０００３】
特許文献１は、表示画像の観察者のスイッチ操作に応じ、表示する画像の輝度値およびフレームレートを切り換え、それにより、消費電力を低減させる技術を開示している。
【先行技術文献】
【特許文献】
【０００４】
【特許文献１】特開２００２−１８９４６４号公報
【発明の概要】
【発明が解決しようとする課題】
【０００５】
しかし、特許文献１に開示された従来の技術では、表示画像の輝度値およびフレームレートが手動で切り換えられるのであって、自動的には切り換えられない。そのため、この従来の技術では、表示画像の輝度値およびフレームレートを切り換えて消費電力を低減させるために、ユーザに対して追加の操作が要求され、手間であった。
【０００６】
このような知見に基づき、本発明は、画像光によって画像を表示するために電池によって駆動される画像表示装置であって、対象画像を表す複数枚のフレームを順次、表示部に転送する転送部を、静止画であるか動画であるかという対象画像の種類に適合するように制御するものを提供することを課題としてなされたものである。
【課題を解決するための手段】
【０００７】
その課題を解決するために、本発明の一側面によれば、複数枚のフレームの連続として構成される対象画像を表す画像信号に基づき、前記複数枚のフレームを順次再生することにより、前記対象画像を静止画または完全なもしくは部分的な動画として表示するために電池によって駆動される画像表示装置であって、前記複数枚のフレームのうちの少なくとも一部を固定または可変の転送レートで転送する転送部と、その転送部から転送された複数枚のフレームを、固定のフレームレートまたは前記転送レートに応じて変化する可変のフレームレートで再生することによって前記対象画像を表示する表示部と、前記電池の残量が基準残量以下である場合に、当該画像表示装置による消費電力が減少するように、その消費電力を制御する消費電力制御部とを含み、その消費電力制御部は、前記画像信号または前記対象画像の属性を表す画像属性信号もしくは画像属性データに基づき、前記対象画像を、動画と静止画とを含む複数の画像種類のうちのいずれかに分類し、
前記動画は、前記画面上においてある対象物が動く領域である動き領域内を動くある対象物の種類、その動き領域の大きさであって前記画面全体の面積に対する比率を意味するものおよびその動き領域の発生頻度という３つの観点から、静止画を背景とする画面上においてカーソルがユーザの操作に応じて、非常に小さい領域内において散発的に動く第１の動画、または作表ソフトを用いて画面上において表を作成する際に、作成中の表の枠が、小さい領域内において散発的に動く第２の動画と、画面の一部に表示された枠内においてある対象物が、中程度の大きさの領域内において連続的に動く第３の動画、または表示画像が画面全体において連続的に動く第４の動画とに分類され、
前記消費電力制御部は、（ａ）前記対象画像が、前記静止画に分類される場合には、前記転送レートを通常レートに維持しつつ、前記複数枚のフレームのうち、前フレームとは異なるもののみが前記表示部に転送されるように、前記転送部を制御し、それにより、前記複数枚のフレームのうち前記転送部によって転送されるものの枚数であるフレーム転送枚数を減少させ、（ｂ）前記対象画像が、前記第１の動画または前記第２の動画に分類される場合には、前記転送レートを、前記通常レートより低い第１レートに低下させるか、または、前記転送レートを前記通常レートに維持しつつ、前記対象画像が表示される際の輝度値を低下させ、（ｃ）前記対象画像が、前記第３の動画または前記第４の動画に分類される場合には、前記転送レートを、前記第１レートより低い第２レートに低下させる転送制御部を含む画像表示装置が提供される。
本発明によって下記の各態様が得られる。各態様は、項に区分し、各項には番号を付し、必要に応じて他の項の番号を引用する形式で記載するが、このように、各項を他の項の番号を引用する形式で記載することにより、各項に記載の技術的特徴をその性質に応じて適宜独立させることが可能となる。
【０００８】
（１）  複数枚のフレームの連続として構成される対象画像を表す画像信号に基づき、前記複数枚のフレームを順次再生することにより、前記対象画像を静止画または完全なもしくは部分的な動画として表示するために電池によって駆動される画像表示装置であって、
前記複数枚のフレームのうちの少なくとも一部を固定または可変の転送レートで転送する転送部と、
その転送部から転送された複数枚のフレームを、固定のフレームレートまたは前記転送レートに応じて変化する可変のフレームレートで再生することによって前記対象画像を表示する表示部と、
前記電池の残量が基準残量以下である場合に、当該画像表示装置による消費電力が減少するように、その消費電力を制御する消費電力制御部と
を含み、
その消費電力制御部は、前記画像信号または前記対象画像の属性を表す画像属性信号もしくは画像属性データに基づき、前記対象画像を、動画と静止画とを含む複数の画像種類のうちのいずれかに分類し、前記対象画像が静止画に分類される場合に、動画に分類される場合より、前記複数枚のフレームのうち前記転送部によって転送されるものの枚数であるフレーム転送枚数が減少するかまたは前記転送レートが低くなるように、前記転送部を制御する転送制御部を含む画像表示装置。
【０００９】
ここに、「フレーム転送枚数」と「転送レート」との関係について説明するに、「転送レート」なる用語を、転送部のクロック転送動作に着目して、転送部が、もとの画像を表す複数枚のフレームを、間引きなしで、順次転送することを想定した場合のフレーム間の時間間隔（すなわち、転送部に入力される基準クロックの周波数）を意味すると定義すると、「フレーム転送枚数」なる用語は、そもそも、もとの画像を表す複数枚のフレームのうち、転送部が実際に転送したものの枚数を意味するから、それらの定義によれば、「転送レート」を低下させなくても、「フレーム転送枚数」を減少させることが可能となる。これに対し、「転送レート」なる用語を、フレーム間引きの有無を考慮して、一定時間あたりに転送部が実際に転送したフレームの枚数を意味すると定義すると、「転送レート」なる用語は、「フレーム転送枚数」なる用語と同義となる。ただし、本明細書においては、説明の便宜上、「転送レート」を前者の意味で使用することとする。
【００１０】
（２）  複数枚のフレームの連続として構成される対象画像を表す画像信号に基づき、前記複数枚のフレームを順次再生することにより、前記対象画像を静止画または完全なもしくは部分的な動画として表示するために電池によって駆動される画像表示装置であって、
前記複数枚のフレームのうちの少なくとも一部を固定または可変の転送レートで転送する転送部と、
その転送部から転送された複数枚のフレームを、固定のフレームレートまたは前記転送レートに応じて変化する可変のフレームレートで再生することによって前記対象画像を表示する表示部と、
前記電池の残量が基準残量以下である場合に、当該画像表示装置による消費電力が減少するように、その消費電力を制御する消費電力制御部と
を含み、
その消費電力制御部は、前記画像信号または前記対象画像の属性を表す画像属性信号もしくは画像属性データに基づき、前記対象画像を、静止画と、動画度が低い動画と、動画度が高い動画とを含む複数の画像種類のうちのいずれかに分類し、
（ａ）前記対象画像が静止画に分類される場合には、前記転送レートを通常レートに維持しつつ、前記複数枚のフレームのうち、前フレームとは異なるもののみが前記表示部に転送されるように、前記転送部を制御し、それにより、前記複数枚のフレームのうち前記転送部によって転送されるものの枚数であるフレーム転送枚数を減少させ、
（ｂ）前記対象画像が、動画度が低い動画に分類される場合には、前記転送レートを、前記通常レートより低い第１レートに低下させるか、または、前記転送レートを前記通常レートに維持しつつ、前記対象画像が表示される際の輝度値を低下させ、
（ｃ）前記対象画像が、動画度が高い動画に分類される場合には、前記転送レートを、前記第１レートより低い第２レートに低下させる転送制御部を含む画像表示装置。
【００１１】
（３）  さらに、
前記画像信号のうち、画像を表示しない無効表示期間中に、前記電池の残量を判定する残量判定部を含む（１）または（２）項に記載の画像表示装置。
【００１２】
（４）  前記転送制御部は、前記対象画像のフレーム間の時間的相関に基づき、前記対象画像を、前記複数の画像種類のうちのいずれかに分類する第１分類手段を含む（１）ないし（３）項のいずれかに記載の画像表示装置。
【００１３】
（５）  前記転送制御部は、
前記画像信号のフレーム周波数より低くなるように予め定められたカットオフ周波数を有し、前記画像信号が入力されると、その画像信号のうち、前記フレーム周波数以上の周波数を有する成分を所定量以上減衰させる特性を有するローパスフィルタと、
そのローパスフィルタに入力された前記画像信号に対して前記ローパスフィルタから出力される信号の振幅の大きさに基づき、前記対象画像を、前記複数の画像種類のうちのいずれかに分類する第２分類手段と
を含む（１）ないし（３）項のいずれかに記載の画像表示装置。
【００１４】
（６）  当該画像表示装置は、前記画像信号を表す画像データをファイルとして、かつ、ファイル名およびファイル種類識別子に関連付けて保存し、
前記転送制御部は、前記ファイル種類識別子であって前記対象画像の種類に関連するものに基づき、前記対象画像を、前記複数の画像種類のうちのいずれかに分類する第３分類手段を含む（１）ないし（３）項のいずれかに記載の画像表示装置。
【００１５】
（７）  当該画像表示装置は、前記対象画像の種類に応じて種類が選択されるアプリケーション・プログラムを起動させることにより、前記対象画像を表示し、
前記転送制御部は、前記起動されたアプリケーション・プログラムの種類に基づき、前記対象画像を、前記複数の画像種類のうちのいずれかに分類する第４分類手段を含む（１）ないし（３）項のいずれかに記載の画像表示装置。
【００１６】
（８）  前記消費電力制御部は、さらに、前記対象画像が動画に分類される場合に、前記フレーム転送枚数を減少させることも前記転送レートを低下させることもなく、前記対象画像が表示される際の輝度値を低下させる輝度値制御部を含む（１）ないし（７）項のいずれかに記載の画像表示装置。
【００１７】
（９）  前記転送制御部は、前記電池の残量が少ないほど、前記フレーム転送枚数が減少するかまたは前記転送レートが低下するように、前記転送部を制御する（１）ないし（８）項のいずれかに記載の画像表示装置。
【００１８】
（１０）  前記転送制御部は、
（ａ）前記転送レートを低下させるか、
（ｂ）前記転送レートを低下させることなく、前記複数枚のフレームのうちの少なくとも一部の転送が一時的に停止するように、前記転送部を制御することにより、前記フレーム転送枚数を減少させるか、または、
（ｃ）前記複数枚のフレームの連続において、現フレームが前フレームと一致しない場合には現フレームが転送されるが、現フレームが前フレームと一致する場合には現フレームが転送されないように、前記転送部を制御することにより、前記フレーム転送枚数を減少させる（１）ないし（９）項のいずれかに記載の画像表示装置。
【００１９】
（１１）  前記表示部は、前記対象画像を観察するユーザの頭部に装着され、前記対象画像を形成する光を前記ユーザの眼に投影し、それにより、前記対象画像を表示する（１）ないし（１０）項のいずれかに記載の画像表示装置。
【００２０】
（１２）  さらに、
前記転送部に、有線または無線で通信可能に接続された受信部であって、前記転送部から転送されたフレームを受信し、その受信したフレームを前記表示部に出力するものを含む（１）ないし（１１）項のいずれかに記載の画像表示装置。
【発明の効果】
【００２１】
本発明によれば、画像表示装置を駆動する電池の残量が少ない場合に、ユーザの介入を必要とすることなく、対象画像の種類に応じて転送部の転送モードが制御され、その結果、当該画像表示装置による消費電力が低減される。
【図面の簡単な説明】
【００２２】
【図１】図１は、本発明の第１実施形態に従う画像表示装置を示す機能ブロック図である。
【図２】図２は、図１に示す画像表示装置において、対象画像を表す複数枚のフレームが転送されるとともに、そのフレーム転送が一時的に停止させられる様子を概念的に説明するための図である。
【図３】図３は、図１に示す表示制御ユニットのＣＰＵによって実行される消費電力制御プログラムを概念的に表すフローチャートである。
【図４】図４は、本発明の第２実施形態に従う画像表示装置のＣＰＵによって実行される消費電力制御プログラムを概念的に表すフローチャートである。
【図５】図５は、本発明の第３実施形態に従う画像表示装置のＣＰＵによって実行される消費電力制御プログラムを概念的に表すフローチャートである。
【図６】図６は、本発明の第４実施形態に従う画像表示装置を示す機能ブロック図である。
【図７】図７は、図６に示す表示制御ユニットのＣＰＵによって実行される消費電力制御プログラムを概念的に表すフローチャートである。
【図８】図８は、図７に示すステップＳ１０３の一実行例を説明するための表である。
【図９】図９は、本発明の第５実施形態に従う画像表示装置のＣＰＵによって実行される消費電力制御プログラムを概念的に表すフローチャートである。
【図１０】図１０は、図９に示すステップＳ１１１ないしＳ１１３を説明するための表である。
【発明を実施するための形態】
【００２３】
以下、本発明のさらに具体的な実施の形態であって例示的なもののうちのいくつかを図面に基づいて詳細に説明する。
【００２４】
図１には、本発明の例示的な第１実施形態に従う画像表示装置１０が機能ブロック図で示されている。画像表示装置１０は、画像を表す画像光を観察者の眼に投影するように構成されている。具体的には、画像表示装置１０は、複数枚のフレームの連続として構成される対象画像（以下、単に「画像」とも言う。）を表す画像信号に基づき、前記複数枚のフレームを順次再生することにより、前記対象画像を静止画または完全なもしくは部分的な動画として表示するために電池によって駆動されるように構成されている。
【００２５】
そのような機能を実現するために、画像表示装置１０は、観察者の頭部に装着される表示ユニット（前記（１）項における「表示部」の一例）１２と、その表示ユニット１２を制御するための表示制御ユニット１４とを含むように構成されている。本実施形態においては、画像表示装置１０が、共に独立した部品である表示ユニット１２と表示制御ユニット１４とが互いに組み合わされて構成された分離型であるが、例えば、表示制御ユニット１４が表示ユニット１２内に組み込まれて構成された一体型に変更してもよい。
【００２６】
表示ユニット１２は、単眼式であり、画像を表す画像光を観察者の片眼に投影して前記画像を観察者に表示する。さらに、表示ユニット１２は、シースルー型であり、表示画像を観察者が現実外界に重ねて観察することを可能にする。
【００２７】
さらに、表示ユニット１２は、空間変調型であり、光源からの面状の光（例えば、バックライト）を、空間変調素子の一例であるＬＣＤ（液晶ディスプレイ）２０を用いて、各画素ごとに空間的に変調し、その変調された光を観察者の網膜に投影する。
【００２８】
なお付言するに、本実施形態においては、表示ユニット１２が単眼式、空間変調型およびシースルー型であるが、両眼式に変更したり、網膜走査型、すなわち、レーザ等、光源からの、画像信号に応じた強度を有する光束をスキャナによって２次元走査し、その２次元走査された光束を観察者の網膜に投影することにより、観察者が画像を虚像として観察することを可能にする型式に変更したり、表示画像の観察と並行して現実外界を観察することができないクローズド型に変更することが可能である。
【００２９】
空間変調型の画像表示を行うために、表示ユニット１２は、さらに、ＬＣＤ２０を制御するＬＣＤコントローラ２２と、表示制御ユニット１４から受信したバックライト制御信号に基づき、ＬＣＤ２０のバックライト（それの照度は、表示画像の輝度値に反映される）を制御するためのバックライト制御回路２４とを備えている。表示ユニット１２は、さらに、ＤＶＩ（Digital Visual Interfaceの略称であり、映像出力インタフェースの標準規格の一例である）に適合するＤＶＩレシーバ３０と、フレームメモリ３２とを有する。
【００３０】
ＤＶＩレシーバ３０は、表示制御ユニット１４から画像データ（以下、「映像データ」ともいう）をフレーム単位で受信し、その受信したフレームをフレームメモリ３２に送出する。フレームメモリ３２は、画像データをフレーム単位で一時的に記憶し、割り込み信号（本実施形態においては、垂直同期信号ＶＳＹＮＣであるが、水平同期信号ＨＳＹＮＣでもよい）によってトリガされるフレーム開始タイミングごとに、記憶しているフレームを表すフレーム信号をＬＣＤコントローラ２２に送出する。ＬＣＤコントローラ２２は、フレーム開始タイミングごとに、受け取ったフレーム信号に基づいてＬＣＤ２０を制御することにより、ＬＣＤ２０の画面上にフレームを再生する。
【００３１】
ＤＶＩレシーバ３０は、表示制御ユニット１４からフレームを受信すると、そのフレームをフレームメモリ３２に送出するが、表示制御ユニット１４からフレームを受信しない期間中は、フレームメモリ３２に何らデータを送出しない。フレームメモリ３２は、ＤＶＩレシーバ３０から受け取ったフレームを、ＤＶＩレシーバ３０から次のフレームを受け取るまで記憶し、その次のフレームを受け取ると、前フレームを最新のフレームで書き換える。
【００３２】
表示ユニット１２には表示制御ユニット１４が、ケーブル３４を介して電気的に接続されている。ケーブル３４は、画像データを伝送するデータラインと、前記バックライト制御信号およびＶＳＹＮＣを含む制御信号を伝送する信号ラインと、電力を伝送するパワーラインとを含んでいる。表示ユニット１２が観察者の頭部に装着されるのに対し、表示制御ユニット１４は、観察者のうち、頭部以外の部分（例えば、腰）に装着される。
【００３３】
表示制御ユニット１４は、プロセッサとしてのＣＰＵ(Central Processing Unit)４０と、不揮発性メモリとしてのＲＯＭ(Read Only Memory)４２と、揮発性メモリとしてのＲＡＭ(Ramdom Access Memory)４４と、それらを互いに接続するバス４６とを備えている。
【００３４】
表示制御ユニット１４は、さらに、外部画像入力装置としてのＰＣ（Personal Computer)４８に有線接続されるＡＤコンバータ５０と、フレームバッファ５２と、送信部としての、ＤＶＩに適合するＤＶＩトランスミッタ５４（前記（１）項における「転送部」の一例）とを備えている。画像表示装置１０は、ＰＣから受信した画像データをリアルタイムで再生（ストリーミング再生）したり、録画した後に再生するように設計される。
【００３５】
ＡＤコンバータ５０は、ＰＣ４８から受信した画像信号（アナログ信号）を画像データに変換する。フレームバッファ５２は、ＡＤコンバータ５０から出力された画像データを構成する複数枚のフレームのうち、表示制御ユニット１４が最後に表示ユニット１２に転送したものと同じものを一時的に保存する。ＤＶＩトランスミッタ５４は、ＡＤコンバータ５０から出力された画像データをフレーム単位で、前記フレーム開始タイミングごとに、固定（時不変）の転送レートで、ＤＶＩレシーバ３０に有線で送信し、それにより、表示ユニット１２に転送する。
【００３６】
具体的には、図２に例示するように、ＤＶＩトランスミッタ５４においては、それの転送許可・禁止を制御する転送許可・禁止信号がＯＮとＯＦＦとに切り換えられる。転送許可・禁止信号に対するＯＮ／ＯＦＦ制御（図１および図２においては、単に「ＯＮ／ＯＦＦ制御」で表す）が行われるのであり、ＤＶＩトランスミッタ５４は、転送許可・禁止信号がＯＮである期間中は、フレーム開始タイミングごとに、フレーム転送を行うが、転送許可・禁止信号がＯＦＦである期間中は、フレーム開始タイミングが到来しても、フレーム転送を行わない。
【００３７】
図２においては、ＤＶＩトランスミッタ５４からＤＶＩレシーバ３０を経由してフレームメモリ３２に入力される複数枚のフレームの連続が入力画像として示されている。それらフレームのうち、黒い四角形の枠として図示されたものは、ＤＶＩトランスミッタ５４が、フレーム開始タイミングで、何らデータをＤＶＩレシーバ３０に転送しないことを表している。
【００３８】
前記転送許可・禁止信号のＯＮ／ＯＦＦ制御により、ＤＶＩトランスミッタ５４は、フレーム転送を行う状態と行わない状態とに切り換えられる。その結果、ＯＮ／ＯＦＦ制御が実行される場合には、一部のフレームが間引きされてＤＶＩトランスミッタ５４からＤＶＩレシーバ３０に転送されるため、転送許可・禁止信号がＯＮに維持される場合（すなわち、ＯＦＦ期間が全く存在しない場合）より、もとの対象画像を表す複数枚のフレームのうち、ＤＶＩトランスミッタ５４によって転送されるものの枚数（以下、「フレーム転送枚数」という）が減少し、ひいては、ＤＶＩトランスミッタ５４およびＤＶＩレシーバ３０による消費電力が減少する。
【００３９】
図２には、入力画像に加えて、ＬＣＤ２０によって出力される複数枚のフレームの連続が出力画像として示されている。前述のように、フレームメモリ３２は、新たなフレームをＤＶＩトランスミッタ５４からＤＶＩレシーバ３０を経由して受け取らない期間中、前フレームを記憶し続けるため、ＬＣＤ２０は、新たなフレームをＤＶＩトランスミッタ５４からＤＶＩレシーバ３０を経由して受け取らない期間中、フレームメモリ３２に記憶されている最新のフレームと同じ画像を有するフレームを再生し続けることになる。
【００４０】
なお付言するに、図２に示すように、あるフレームの終了タイミングと次のフレームの開始タイミングとの間に無効表示期間Ａが存在し、それに後続し、１枚のフレームについての有効表示期間Ｂが存在する。図２に示す例においては、無効表示期間Ａが、ＶＳＹＮＣによってトリガされるフレーム開始タイミングから開始されるが、他のタイミングから開始するように変更することが可能である。
【００４１】
以上要するに、本実施形態においては、転送レート、すなわち、一定時間あたりにＤＶＩトランスミッタ５４がＤＶＩレシーバ３０に転送するフレームの合計枚数が固定値であり、フレームレート（再生レート）、すなわち、一定時間あたりにＬＣＤ２０によって再生されるフレームの合計枚数も固定値であるようになっているが、本発明は、転送レートが可変値であり、フレームレートも、転送レートと一致するように変化する可変値である態様で実施することが可能である。
【００４２】
また、本実施形態においては、静止画（後に定義される動画度が低い画像）の再生時にパワーセーブモードを実現すべく、ＤＶＩトランスミッタ５４による転送レートを低下させることなく、少なくとも一部のフレームの転送が一時的に停止するように、ＤＶＩトランスミッタ５４を制御することにより、フレーム転送枚数が減少させられるが、本発明は、ＤＶＩトランスミッタ５４の転送レートが低下させられる態様で実施することが可能である。
【００４３】
図１に示すように、表示制御ユニット１４は、さらに、電池６０と、その電池６０に接続された電源回路６２とを備えている。電池６０は、表示制御ユニット１４内の部品に電力を供給するとともに、表示ユニット１２内の部品にもケーブル３４を経由して電力を供給する。すなわち、電池６０は、表示ユニット１２と表示制御ユニット１４に共通の電源である。ＤＶＩトランスミッタ５４およびＤＶＩレシーバによる消費電力の減少により、電池６０の消耗が抑制され、これにより、電池６０の長寿命化が促進される。電源回路６２は、よく知られているように、電池６０の出力を安定化させたり、電池６０の充電を行うために設けられている。
【００４４】
表示制御ユニット１４は、さらに、電池残量検出回路６４と、ＡＤコンバータ６６とを備えている。電池残量検出回路６４は、電池６０の残量（例えば、電池６０が完全に消耗するまでに画像表示装置１０が連続して駆動できる残り駆動時間という時間を単位にして定義したり、残存電荷量ＳＯＣ(State of Charge)という電荷量を単位にして定義できる）を検出し、その検出値を表すアナログ信号を出力する。この電池残量検出回路６４は、自発的に電池残量検出動作を行ってもよいが、ＣＰＵからの指令に従い、電池残量検出動作を行ってもよい。ＡＤコンバータ６６は、電池残量検出回路６４の出力信号を、電池６０の残量を表すデジタルデータである電池残量データに変換する。このＡＤコンバータ６６から出力される電池残量データは、ＣＰＵ４０に送出される。
【００４５】
図３には、画像表示装置１０の作動中、ＣＰＵ４０によって反復的に実行される消費電力制御プログラムが概念的にフローチャートで表されている。
【００４６】
表示制御ユニット１４は、物理的な構成ではなく、実現される機能に着目すると、図示しないが、消費電力制御部を有し、その消費電力制御部は、転送制御部と、輝度値制御部とを備えている。消費電力制御部は、画像信号または対象画像の属性を表す画像属性信号もしくは画像属性データに基づき、電池６０の残量が基準残量以下である場合に、画像表示装置１０による消費電力が減少するように、その消費電力を制御する。転送制御部は、対象画像が静止画に分類される場合に、完全なまたは部分的な動画に分類される場合より、フレーム転送枚数が減少するように、転送部を制御する。
【００４７】
この転送制御部は、対象画像のフレーム間の時間的相関に基づき、対象画像を、動画と静止画とを含む複数の画像種類のうちのいずれかに分類する第１分類手段を有する。輝度値制御部は、対象画像が動画に分類される場合に、フレーム転送枚数を減少させることも転送レートを低下させることもなく、対象画像が表示される際の輝度値（すなわち、前記バックライトの明るさであり、以下、「画面輝度」ともいう。）を低下させる。
【００４８】
そして、消費電力制御部は、ＣＰＵ４０と、図３に示す消費電力制御プログラムとが互いに協働することによって構成される。転送制御部は、ＣＰＵ４０と、同図に示すステップＳ１ないしＳ７とが互いに協働することによって構成される。第１分類手段は、ＣＰＵ４０と、同図に示すステップＳ５とが互いに協働することによって構成される。輝度値制御部は、ＣＰＵ４０と、同図に示すステップＳ８およびＳ９とが互いに協働することによって構成される。
【００４９】
図３に示す消費電力制御プログラムがＣＰＵ４０によって実行されると、まず、ステップＳ１において、ＶＳＹＮＣによってトリガされるフレーム開始タイミングが到来するのが待たれる。フレーム開始タイミングが到来すると、ステップＳ２およびＳ３が、無効表示期間Ａ中に実行される。ステップＳ２においては、電池残量検出回路６４に対し、電池残量を検出することが指令される。その指令を受けて電池残量検出回路６４が、電池残量を検出し、その結果を表す電池残量データを出力すると、それがＣＰＵ４０によって取り込まれる。続いて、ステップＳ３において、その取り込まれた電池残量データによって表される電池残量がしきい値（前記（１）項における「基準残量」の一例）以下であるか否かが判定される。
【００５０】
本実施形態においては、電池残量の取得および適否判定が、無効表示期間Ａ中に行われるため、有効表示期間Ｂ中に行われる場合とは異なり、その有効表示期間Ｂ中におけるＣＰＵ４０の計算負荷の集中が軽減されるとともに、有効表示期間Ｂ中における最大消費電力の大きさが減少し、それにより、電池６０の負荷の集中も軽減される。
【００５１】
電池残量がしきい値以下ではない場合には、ステップＳ４において、今回のフレームが通常の表示モード、すなわち、ＤＶＩトランスミッタ５４によるフレーム転送が許可されるとともに、バックライトの輝度値が通常値（デフォールト値またはユーザによって調整された値）で表示される。その後、ステップＳ１に戻り、以上説明した処理が次のフレームについて実行される。これに対し、電池残量がしきい値以下である場合には、ステップＳ５に移行する。
【００５２】
このステップＳ５においては、ＰＣ４８から受信した最新のフレームであって、これから表示制御ユニット１４が表示ユニット１２に転送しようとしている現フレームが、画像に関し、直前に転送した前フレームであってフレームバッファ５２に保存されているものと同じであるか否かが判定される。すなわち、対象画像の画像信号に基づき、対象画像が、静止画としての性質を、動画としての性質より強く有するか否かが判定されるのである。
【００５３】
具体的には、画素ごとに、フレーム間の時間的相関に基づき、現フレームが、画像に関し、前フレームと同じであるか否かが判定される。今回は、現フレームが前フレームと同じであると仮定すると、ステップＳ６において、ＤＶＩトランスミッタ５４による現フレームの転送が禁止され、その結果、前記転送許可・禁止信号がＯＦＦにされる。その後、ステップＳ１に戻る。
【００５４】
これに対し、今回は、現フレームが前フレームと同じではないと仮定すると、ステップＳ７において、ＤＶＩトランスミッタ５４による現フレームの転送が許可され、その結果、前記転送許可・禁止信号がＯＮにされる。その後、ステップＳ８において、現在の輝度値が、変更可能な範囲の最低値であるか否かが判定される。今回は、輝度値が最低値ではないと仮定すると、ステップＳ９において、輝度値を１段階低下させることを指令するために、前記バックライト制御信号が生成され、それがバックライト制御回路２４に送信される。その後、ステップＳ１に戻る。これに対し、今回は、輝度値が最低値であると仮定すると、ステップＳ９がスキップされた後、ステップＳ１に戻る。
【００５５】
次に、本発明の例示的な第２実施形態に従う画像表示装置１０を説明する。ただし、本実施形態は、それの消費電力制御プログラムの内容が、第１実施形態における消費電力制御プログラムであって図３に示すものと異なるのみで、他の要素については共通するため、消費電力制御プログラムの内容のみを説明し、共通する要素については、同じ名称や符号を使用することによって重複した説明を省略する。
【００５６】
図４には、本実施形態に従う画像表示装置１０の表示制御ユニット１４のうちのＣＰＵ４０によって実行される消費電力制御プログラムが概念的にフローチャートで表されている。この消費電力制御プログラムがＣＰＵ４０によって実行されると、ステップＳ５１およびＳ５２が、一連のフレームの再生開始に先立ち、実行される。ただし、それらステップＳ５１およびＳ５２は、画像表示装置１０の一連の作動中、それまでとは異なる映像コンテンツの再生が開始されるごとにその都度実行されるようにしてもよい。
【００５７】
いずれにしても、ステップＳ５１においては、電池残量検出回路６４に対し、電池残量を検出することが指令される。その指令を受けて電池残量検出回路６４が、電池残量を検出し、その結果を表す電池残量データを出力すると、それがＣＰＵ４０によって取り込まれる。次に、ステップＳ５２において、その取り込まれた電池残量データによって表される電池残量が前記しきい値以下であるか否かが判定される。
【００５８】
電池残量がしきい値以下ではない場合には、ステップＳ５３において、一連のフレームが前記通常の表示モードで表示される。これに対し、電池残量がしきい値以下である場合には、ステップＳ５４に移行する。
【００５９】
ステップＳ５４においては、ＶＳＹＮＣによってトリガされるフレーム開始タイミングが到来するのが待たれる。フレーム開始タイミングが到来すると、ステップＳ５５において、ＰＣ４８から、画像信号のうち、表示制御ユニット１４がこれから表示ユニット１２に転送しようとしている現フレームが取り込まれる。続いて、ステップＳ５６において、その取り込まれた現フレームと、フレームバッファ５２に保存されている前フレームとにつき、画素ごとのフレーム間差分が計算される。その後、ステップＳ５７において、その計算されたフレーム間差分がすべての画素に関して実質的に０であるかが判定されることにより、現フレームが前フレームと同じであるか否かが判定される。
【００６０】
今回は、現フレームが前フレームと同じではないと仮定すると、ステップＳ５８において、ＤＶＩトランスミッタ５４による現フレームの転送が許可され、その結果、前記転送許可・禁止信号がＯＮにされる。続いて、ステップＳ５９において、現フレームがフレームバッファ５２に、次回のフレーム間差分の計算に備えて、前フレームとして保存される。その後、ステップＳ５４に戻り、次回のフレーム開始タイミングが到来するのが待たれる。
【００６１】
これに対し、今回は、現フレームが前フレームと同じであると仮定すると、ステップＳ６０において、ＤＶＩトランスミッタ５４による現フレームの転送が禁止され、その結果、前記転送許可・禁止信号がＯＦＦにされる。その後、ステップＳ５４に戻る。
【００６２】
これに対し、その後、ステップＳ８において、現在の輝度値が、輝度値を変更可能なレンジ内の最低値であるか否かが判定される。今回は、輝度値が最低値ではないと仮定すると、ステップＳ９において、輝度値を１段階低下させることを指令するために、前記バックライト制御信号が生成され、それがバックライト制御回路２４に送信される。その後、ステップＳ１に戻る。これに対し、今回は、輝度値が最低値であると仮定すると、ステップＳ９がスキップされた後、ステップＳ１に戻る。
【００６３】
次に、本発明の例示的な第３実施形態に従う画像表示装置１０を説明する。ただし、本実施形態は、それの消費電力制御プログラムの内容が、第２実施形態における消費電力制御プログラムであって図４に示すものと異なるのみで、他の要素については共通するため、消費電力制御プログラムの内容のみを説明し、共通する要素については、同じ名称や符号を使用することによって重複した説明を省略する。
【００６４】
第２実施形態においては、現フレームが前フレームと同じであるかを判定するために、画素ごとのフレーム間差分が計算されるが、本実施形態においては、その判定の精度を犠牲にしつつも、ＣＰＵ４０の計算負荷を軽減するために、現フレームを構成する複数の画素値の合計値と、前フレームを構成する複数の画素値の合計値とが互いに比較され、それら合計値のフレーム間差分が実質的に０である場合に、現フレームが前フレームと同じであると判定される。したがって、本実施形態においては、フレーム間の時間的相関を計算するために、フレームバッファ５２を使用することは不要である。
【００６５】
図５には、本実施形態に従う画像表示装置１０の表示制御ユニット１４のうちのＣＰＵ４０によって実行される消費電力制御プログラムが概念的にフローチャートで表されている。この消費電力制御プログラムは、第２実施形態における消費電力制御プログラムであって図４に示すものと共通するステップがあるため、共通するステップについては、同一のステップ番号を使用することによって重複した説明を省略し、異なるステップのみを詳細に説明する。
【００６６】
図５に示す消費電力制御プログラムにおいては、ステップＳ５５において、ＰＣ４８から現フレームが取り込まれると、ステップＳ６１において、その取り込まれた現フレームを構成する複数の画素値の合計値が現フレームの合計画素値として計算される。その後、ステップＳ６２において、現フレームについて計算された合計画素値と、前フレームの合計画素値であってＲＡＭ４４に保存されているものとが互いに比較され、それら合計画素値のフレーム間差分が実質的に０である場合に、現フレームが前フレームと同じであると判定される。
【００６７】
現フレームが前フレームと同一ではない場合には、ステップＳ５８を経てステップＳ６２において、現フレームの合計画素値がＲＡＭ４４に、次回のフレーム間差分の計算に備えて、前フレームの合計画素値として保存される。これに対し、現フレームが前フレームと同一である場合には、ステップＳ６０に移行する。
【００６８】
次に、本発明の例示的な第４実施形態に従う画像表示装置１００を説明する。ただし、本実施形態は、第２実施形態と共通する要素があるため、共通する要素については、同じ名称や符号を使用することによって重複した説明を省略し、異なる要素についてのみ、詳細に説明する。
【００６９】
図６には、本実施形態に従う画像表示装置１００が機能ブロック図で概念的に表されている。画像表示装置１００は、第２実施形態に従う画像表示装置１０であって図１に示すものに対し、同じ構成を有する表示ユニット１２と、部分的に異なる構成を有する表示制御ユニット１１４とを有する。
【００７０】
表示制御ユニット１１４は、外部画像入力装置（図示しないが、例えば、ＰＣや携帯電話、スマートホンなど）との無線通信により、画像信号を受信する。そのため、表示制御ユニット１１４は、アンテナ１２０と、無線ＬＡＮ(Local Area Network)を可能にするインタフェース１２２と、外部画像入力装置から無線ＬＡＮを経由して受信した画像信号によって表される画像データを保存するメモリカード（画像メモリの一例）１２４とを有する。
【００７１】
表示制御ユニット１１４は、外部から受信した画像信号を表す画像データをファイルとして、かつ、ファイル名およびファイル種類識別子（例えば、静止画であることを表すdocやjpg、動画であることを表すmpgのようなファイル拡張子）に関連付けて、メモリカード１２４に保存する。そのファイル種類識別子は、対象画像の種類に関連している。
【００７２】
そこで、本実施形態においては、再生すべき対象画像（映像コンテンツ）ごとに、それに割り当てられたファイル種類識別子を参照することにより、対象画像を、動画と静止画とを含む複数の画像種類のうちのいずれかに分類する。すなわち、表示制御ユニット１１４は、前記画像属性データの一例であるファイル種類識別子に基づき、対象画像を、動画と静止画とを含む複数の画像種類のうちのいずれかに分類する手段を有するのであり、この手段は、前記（６）項における「第３分類手段」の一例である。
【００７３】
ところで、第２実施形態においては、同じ対象画像（映像コンテンツ）の再生中、フレーム画像の時間的変化を見て、その対象画像のうちのあるセグメントについては静止画としての性質が強いが、別のセグメントについては動画としての性質が強いというように、セグメントごとに、各セグメントを、他のセグメントとは異なる画像種類に分類することが可能である。
【００７４】
これに対し、本実施形態においては、対象画像の再生に先立ち、それに割り当てられたファイル種類識別子を参照することにより、その対象画像の全体について画一的に、静止画であるのか、動画であるのかを判別し、静止画であると判定された場合には、対象画像の再生期間全体を通じて、転送レートが通常値より低く設定され、これに対し、動画であると判定された場合には、対象画像の再生期間全体を通じて、転送レートが通常値に設定される。本明細書の全体を通じて、「静止画」なる用語は、再生期間の全体を通じて、表示画像が全く動かない画像と、表示画像が不連続的に動く画像（コマ送り画像）との双方を意味するように使用される。
【００７５】
図７には、本実施形態に従う画像表示装置１００の表示制御ユニット１１４のうちのＣＰＵ４０によって実行される消費電力制御プログラムが概念的にフローチャートで表されている。この消費電力制御プログラムは、第２実施形態における消費電力制御プログラムであって図４に示すものと共通するステップがあるため、共通するステップについては、同一のステップ番号を使用することによって重複した説明を省略し、異なるステップのみを詳細に説明する。
【００７６】
図７に示す消費電力制御プログラムにおいては、ステップＳ５１ないしＳ５３およびＳ１０１ないしＳ１０３が、対象画像（映像コンテンツ）が変わるごとに、各対象画像の再生開始に先立ち、実行される。電池残量がしきい値以下ではない場合には、ステップＳ５３において、対象画像の表示が通常モードで行われることとなるように、表示モードが選択される。電池残量がしきい値以下である場合には、ステップＳ１０１において、外部から受信されてメモリカード１２４に記憶されている対象画像に割り当てられたファイル種類識別子が参照されることにより、対象画像が静止画に分類されるか否かが判定される。例えば、そのファイル種類識別子がjpgである場合には、対象画像が静止画に分類される。対象画像が静止画ではなく、動画に分類される場合には、ステップＳ１０２において、転送レートが通常レートに維持されるが、対象画像が静止画に分類される場合には、ステップＳ１０３において、転送レートが通常レートより低下させられる。
【００７７】
このステップＳ１０３においては、転送レートが、通常レートより低い所定値まで低下させられる。その所定値は、固定値であってもよいが、一例においては、図８に例示するような転送レートと電池残量との関係に従い、転送レート（１秒あたりに転送されるファイルの数）が、電池残量の増加につれて増加する可変値とされる。
【００７８】
この例においては、ステップＳ５２における前記しきい値が「５０％」である場合には、電池残量が「５０％」であると、図８に示すように、転送レートが通常レート（最大レート）の半分まで低下させられ、また、電池残量が「３０％」であると、転送レートが通常レートの４分の１まで低下させられる。この例によれば、電池残量とは無関係に決まる固定値まで転送レートが低下させられる場合に比べて、画像表示装置１００の最大駆動時間が最大化される。
【００７９】
次に、本発明の例示的な第５実施形態に従う画像表示装置１００を説明する。ただし、本実施形態は、第４実施形態と共通する要素があるため、共通する要素については、同じ名称や符号を使用することによって重複した説明を省略し、異なる要素についてのみ、詳細に説明する。
【００８０】
図９には、本実施形態に従う画像表示装置１００の表示制御ユニット１１４のうちのＣＰＵ４０によって実行される消費電力制御プログラムが概念的にフローチャートで表されている。この消費電力制御プログラムは、第４実施形態における消費電力制御プログラムであって図７に示すものと共通するステップがあるため、共通するステップについては、同一のステップ番号を使用することによって重複した説明を省略し、異なるステップのみを詳細に説明する。
【００８１】
図９に示す消費電力制御プログラムにおいては、ステップＳ５１ないしＳ５３、Ｓ１０１およびＳ１１１ないしＳ１１４が、対象画像（映像コンテンツ）が変わるごとに、各対象画像の再生開始に先立ち、実行される。ステップＳ１０１において、対象画像が静止画に分類される場合には、ステップＳ１１４において、もとの対象画像を表す複数枚のフレームのうち、前フレートと一致しないもののみがＤＶＩトランスミッタ５４によってＤＶＩレシーバ３０に転送される。これに対し、対象画像が動画に分類される場合には、ステップＳ１１１に移行する。
【００８２】
本実施形態においては、動画が、局所動きを有する部分的な動画と、完全な動画とを含む複数の画像種類のうちのいずれかに分類される。ところで、本実施形態においては、図１０に例示するように、対象画像の動画度（例えば、画像データがフレーム間で時間的に変化する度合い）が、ＬＣＤ２０の画面上において特定の対象物が動く領域（以下、「動き領域」という）内を動く特定の対象物の種類、その動き領域の大きさ（画面全体の面積に対する比率）および動き領域の発生頻度という３つの観点から定義される。
【００８３】
このように定義された動画度という概念を用いることにより、本実施形態においては、動画が、（ａ）静止画を背景とする画面上においてカーソルがユーザの操作に応じて、非常に小さい領域内において散発的に動く第１の動画（部分的な動画の一例）と、（ｂ）米国マイクロソフト社のエクセル（登録商標）などの作表ソフトを用いて画面上において表を作成する際に、作成中の表の枠が、小さい領域内において散発的に動く第２の動画（部分的な動画の別の例）と、（ｃ）画面の一部に表示された枠内において特定の対象物が、中程度の大きさの領域内において連続的に動く第３の動画（部分的な動画のさらに別の例）と、（ｄ）表示画像が画面全体において連続的に動く第４の動画（完全な動画）とに分類される。
【００８４】
そして、図１０に例示するように、対象画像が第１または第２の動画に分類される場合には、第３または第４の動画に分類される場合より、静止画としての性質を強く示すにもかかわらず、転送レートを通常レート（最大レート）から低下させる量が少なくされるか、または、転送レートを通常レートに維持しつつ、ＬＣＤ２０のバックライトの輝度、すなわち、画面輝度が低くされることにより、パワーセーブモードを実現することが望ましいと考えられる。
【００８５】
そのように考えられる理由は、対象画像が第１または第２の動画に分類される場合には、第３または第４の動画に分類される場合とは異なり、ＬＣＤ２０の画面上における特定の動的対象物が、ユーザの操作に応じて敏感にかつスムーズに動くように表示されるようにすることが、その画面を観察するユーザにとって快適であり、ストレスがないからである。また、対象画像が第３または第４の動画に分類される場合には、画面のうちの半分以上の部分が動いているため、転送レートを下げてフレームレート（再生レート）を下げても、ユーザがそれほど不快感を感じることもストレスを感じることもないと考えられる。
【００８６】
このことを実現するために、図９に示す消費電力制御プログラムにおいては、ステップＳ１１１において、対象画像のファイル種類識別子（例えば、静止画であるか、動画であるか、表であるか否か）や他の関連情報（画面上にカーソルが存在するか否か）に基づき、対象画像が、画像の一部のみが変化する種類の画像に分類されるか否か、すなわち、第１または第２の画像に分類されるか否かが判定される。対象画像が、第１または第２の動画に分類される場合には、ステップＳ１１３において、画面輝度が低下させられる。これに対し、対象画像が、第１の動画にも第２の動画にも分類されない場合、すなわち、第３または第４の動画に分類される場合には、ステップＳ１１２において、転送レートが、通常レートより低い第１レートに低下させられる。
【００８７】
なお付言するに、本実施形態においては、対象画像が第１または第２の動画に分類される場合には、転送レートが通常レートに維持されつつ、画面輝度が通常輝度より低下させられるが、別の例においては、それに代えて、画面輝度を通常輝度に維持しつつ、転送レートを、通常レートよりは低いが、対象画像が第３または第４の動画に分類される場合に採用される第１レートよりは高い第２レートに低下させることが可能である。
【００８８】
さらに付言するに、本実施形態および上述の別の例においては、対象画像が第１または第２の動画に分類される場合には、転送レートの低下と画面輝度の低下とが択一的に実行されるが、さらに別の例においては、転送レートの低下と画面輝度の低下とが一緒に実行される。この例によれば、対象画像が第１または第２の動画に分類される場合には、観察者にストレスを感じさせることなく、省電力化できるという利点と、電池残量が少ないことを、画面が暗くなったという現象を通じて、観察者に認識させることができるという利点がある。これに対し、対象画像が第３または第４の動画に分類される場合には、電池残量が少ないことを、画面の動きが鈍くなったという現象を通じて、観察者に認識させることができるという利点がある。
【００８９】
さらに付言するに、以上説明したいくつかの実施形態においては、対象画像の種類が、フレーム間の時間的相関、ファイル種類識別子などを参照することより、分類されるが、他の例を採用することが可能である。
【００９０】
一例においては、表示制御ユニット１４または１１４が、対象画像の画像信号に対してフィルタリングを施すローパスフィルタを有する。そのローパスフィルタは、画像信号のフレーム周波数より低くなるように予め定められたカットオフ周波数を有し、画像信号が入力されると、その画像信号のうち、フレーム周波数以上の周波数を有する成分を所定量以上減衰させる特性を有するように設計された電子回路である。
【００９１】
この例においては、表示制御ユニット１４または１１４が、さらに、ローパスフィルタに入力された画像信号に対してそのローパスフィルタから出力される信号の振幅の大きさに基づき、対象画像を、静止画および動画を含む複数の画像種類のうちのいずれかに分類する第２の電子回路も有する。この第２の電子回路の一例は、コンパレータであり、このコンパレータには、例えば、ローパスフィルタの出力信号と基準信号とがそれぞれ入力され、それら２つの入力信号の大小に応じて、予め定められた２値の信号のうちのいずれかを出力するように設計される。
【００９２】
この例においては、ローパスフィルタのカットオフ周波数が、対象画像が、同じフレーム信号が同一周期で反復する静止画に分類される場合に、ローパスフィルタの出力信号がコンパレータの基準信号と実質的に一致するように設定される。コンパレータの出力信号のレベルは、ローパスフィルタの出力信号のレベルが前記基準信号のレベルを上回るかまたは下回ると、変化するため、ＣＰＵ４０は、その出力信号のレベル変化を参照することにより、対象画像が静止画に分類されるか否かを判定するプログラムを実行する。
【００９３】
この例によれば、対象画像の種類の判別が、いずれも消費電力が少ないローパスフィルタおよびコンパレータを主体的に用いて行われ、かつ、それらローパスフィルタおよびコンパレータは、ＣＰＵ４０から独立して作動するため、対象画像の種類の判別のためのすべてのプロセスをＣＰＵ４０を用いて行う場合より、ＣＰＵ４０の計算負荷が軽減されるとともに、消費電力を低減させる設計が容易となる。
【００９４】
別の例においては、画像表示装置１０または１００が、対象画像の種類に応じて種類が選択されるアプリケーション・プログラムを起動させることにより、対象画像を表示するように構成される。このように構成された画像表示装置１０または１００においては、ＣＰＵ４０が、その起動されたアプリケーション・プログラムの種類に基づき、対象画像を、静止画および動画を含む複数の画像種類のうちのいずれかに分類するプログラムを実行する。
【００９５】
以上の説明から明らかなように、以上説明したいくつかの実施形態によれば、ユーザの介入を必要とすることなく、対象画像が種類に関して自動的に分類されるとともに、その対象画像の種類に応じた作動モード（転送モード）でＤＶＩトランスミッタ５４が制御され、それにより、フレーム転送枚数または転送レートが自動的に切り換えられる。その結果、ユーザに対する追加の操作を要求することなく、画像表示装置１０または１００による消費電力、特に、ＤＶＩトランスミッタ５４およびＤＶＩレシーバ３０による消費電力が低減される。
【００９６】
なお付言するに、画像表示装置１０または１００は頭部装着型であるため、ユーザが視認できる画像の繊細さの限界値が、ユーザの頭部の動きの速さによって影響される可能性がある。具体的には、ユーザの頭部の動きが速いほど、ユーザが視認できる画像の繊細さの限界値が低下する可能性がある。そのため、ユーザの頭部の動きの速さとは無関係に、ＤＶＩトランスミッタ５４からＤＶＩレシーバ３０へのフレームの転送レートの高さを設定すると、ユーザの頭部の動きが速い場合に、転送レートが必要以上に高くなり、無駄に電力が消費されることになる。そこで、電池残量が少なく、かつ、ユーザの頭部の動きの速さ（例えば、画像表示装置１０または１００のうち、ユーザの頭部に装着されて一体的に運動する部分に装着された加速度センサによって検出可能である）が基準値より速い場合には、転送レートを、そうでない場合より低下させることが望ましい。
【００９７】
以上、本発明のいくつかの実施形態を図面に基づいて詳細に説明したが、これらは例示であり、前記［発明の概要］の欄に記載の態様を始めとして、当業者の知識に基づいて種々の変形、改良を施した他の形態で本発明を実施することが可能である。
【図１】
0005807546.tif 000002
【図２】
0005807546.tif 000003
【図３】
0005807546.tif 000004
【図４】
0005807546.tif 000005
【図５】
0005807546.tif 000006
【図６】
0005807546.tif 000007
【図７】
0005807546.tif 000008
【図８】
0005807546.tif 000009
【図９】
0005807546.tif 000010
【図１０】
0005807546.tif 000011